(57)【特許請求の範囲】
【請求項１】
被照射体に光を照射するための発光装置であって、
光を出射する発光部と、
前記発光部の周囲に設けられる反射部材であって、前記発光部の光軸に垂直な方向に延びる基部、および、この基部から傾斜して延びる傾斜部であって、第１壁部と、この第１壁部よりも、前記基部からの高さが低く、前記発光部からの距離が近い第２壁部とを含む傾斜部を有する反射部材とを備え、
前記発光部は、前記基部から離れる方向に光を出射する発光素子と、前記発光素子が載置される基台と、レンズとを含み、
前記発光素子は、光の出射方向において、前記基部よりも前方に設けられ、
前記レンズは、
柱状に形成されて、前記基部よりも前記出射方向前方において、前記発光素子の前記出射方向前方端部を全て覆うように設けられ、
前記レンズの前記上面が、前記発光素子に対向し、かつ、被照射体に平行な中央部分と、該中央部分を取り囲む第１湾曲部分と、該第１湾曲部分を取り囲む第２湾曲部分とを含み、
前記レンズの表面において、前記上面の前記中央部分および前記第２湾曲部分ならびに側面は、前記発光素子から出射され、前記レンズの内部を通って到達した光を透過する透過領域となり、
前記レンズの表面において、前記上面の前記第１湾曲部分は、前記発光素子から出射され、前記レンズの内部を通って到達した光を、前記レンズの側面に向けて反射する反射領域となり、
前記傾斜部は、前記出射方向において、前記基部の位置から、前記発光素子よりも前記出射方向前方の位置までにわたって、設けられることを特徴とする発光装置。
【請求項２】
被照射体に光を照射するための発光装置であって、
光を出射する発光部と、
前記発光部の周囲に設けられる反射部材であって、前記発光部の光軸に垂直な方向に延びる基部、および、この基部から傾斜して延びる傾斜部であって、第１壁部と、この第１壁部よりも、前記基部に対する傾斜角度が小さく、前記発光部からの距離が近い第２壁部とを含む傾斜部を有する反射部材とを備え、
前記発光部は、前記基部から離れる方向に光を出射する発光素子と、前記発光素子が載置される基台と、レンズとを含み、
前記発光素子は、光の出射方向において、前記基部よりも前方に設けられ、
前記レンズは、
柱状に形成されて、前記基部よりも前記出射方向前方において、前記発光素子の前記出射方向前方端部を全て覆うように設けられ、
前記レンズの前記上面が、前記発光素子に対向し、かつ、被照射体に平行な中央部分と、該中央部分を取り囲む第１湾曲部分と、該第１湾曲部分を取り囲む第２湾曲部分とを含み、
前記レンズの表面において、前記上面の前記中央部分および前記第２湾曲部分ならびに側面は、前記発光素子から出射され、前記レンズの内部を通って到達した光を透過する透過領域となり、
前記レンズの表面において、前記上面の前記第１湾曲部分は、前記発光素子から出射され、前記レンズの内部を通って到達した光を、前記レンズの側面に向けて反射する反射領域となり、
前記傾斜部は、前記出射方向において、前記基部の位置から前記発光素子よりも前記出射方向前方の位置までにわたって、設けられることを特徴とする発光装置。
【請求項３】
表示パネルと、
前記表示パネルに背面側から光を照射するための、請求項１または２に記載の発光装置を備える照明装置とを含むことを特徴とする表示装置。
【発明の詳細な説明】
【技術分野】
【０００１】
本発明は、発光装置および表示装置に関する。
【背景技術】
【０００２】
表示装置は、表示パネルを有する。表示パネルは、２枚の透明基板の間に液晶が封入され、電圧が印加されることにより液晶分子の向きが変えられて光透過率が変化し、予め定められた映像等を光学的に表示する。液晶自体は発光体ではないので、表示装置には、たとえば透過型の表示パネルの背面側に、冷陰極管（ＣＣＦＬ）、発光ダイオード（ＬＥＤ：Light Emitting Diode）などを光源とし、表示パネルに光を照射する照明装置であるバックライトユニットが備えられる。
【０００３】
バックライトユニットには、冷陰極管やＬＥＤ等の光源を底面に並べて光を出す直下型と、冷陰極管やＬＥＤ等の光源を導光板と呼ばれる透明な板のエッジ部に配して、導光板エッジから光を通して背面に設けられたドット印刷やパターン形状によって前面に光を出すエッジライト型とがある。
【０００４】
ＬＥＤは、低消費電力、長寿命、水銀を使わないことによる環境負荷低減などの優れた特性を有するけれども、価格的に高価であることと、青色発光ＬＥＤが発明されるまでは白色発光ＬＥＤは無かったことと、さらに強い指向性を有していることとから、バックライトユニットの光源としての利用が遅れていた。しかしながら近年、照明用途で、高演色高輝度白色ＬＥＤが急速に普及しており、それに伴ってＬＥＤが安価になってきているので、バックライトユニットの光源としては、冷陰極管からＬＥＤへの移行が進んでいる。
【０００５】
ＬＥＤは強い指向性を有するので、表示パネルの表面の輝度が面方向において均一となるように光を照射するという観点では、直下型よりもエッジライト型が有効である。しかしながら、エッジライト型のバックライトユニットは、導光板のエッジ部に集中して光源が配置されることにより光源によって生じた熱が集中するという問題とともに、表示パネルのベゼル部が大きくなるという問題が生じる。さらに、エッジライト型のバックライトユニットは、表示画像の高品質化および省電力化が可能な制御方法として注目されている部分的な調光制御（ローカルディミング）についても制約が大きく、表示画像の高品質化および省電力化が達成可能な小分割領域の制御ができないという問題がある。
【０００６】
そこで、部分的な調光制御に有利な直下型のバックライトユニットにおいて、強い指向性を有するＬＥＤを光源として用いた場合であっても、表示パネルの輝度が面方向において均一となるように、光を表示パネルに照射することが可能な方法の検討が進められている。輝度を均一化するものとして、たとえば、特許文献１には、被照射体において１つの被照射領域を画する箱状のフレーム部材と、フレーム部材の底面上に設けられるプリント基板と、フレーム部材によって囲繞される発光装置とを備える照明装置が記載されている。この発光装置は、プリント基板上に設けられる発光素子と、発光素子から出射された光の一部が上面から透過して出射され、他の一部が側面から透過して出射されるレンズと、フレーム部材上においてプリント基板が設けられる部分以外の部分に設けられる拡散反射シートとを含んでいる。
【先行技術文献】
【特許文献】
【０００７】
【特許文献１】特開２０１０−２３８４２０号公報
【発明の概要】
【発明が解決しようとする課題】
【０００８】
特許文献１に記載の照明装置は、発光素子から出射された光を表示パネルに直接照射するのではなく、レンズによって、発光素子から出射された光をレンズの光軸に垂直な方向に拡げ、反射シートの表面で反射させて、反射光を表示パネルに照射することにより、表示パネルの面方向における照射光の強度の均一化を図っている。
【０００９】
しかしながら、特許文献１に記載の照明装置において、箱状のフレーム部材は、レンズの光軸方向に平面視したときの形状が正方形状であり、レンズはこの正方形状の中央に配置されるので、この正方形状の辺部からレンズまでの距離は、この正方形状の角部からレンズまでの距離よりも近い。よって、この正方形状の辺部に配置されるフレーム部材の壁部上の反射シートに到達する光の量は、この正方形状の角部に配置されるフレーム部材の壁部上の反射シートに到達する光の量よりも多くなり、表示パネルにおいてこの正方形状の辺部に臨む部分に照射される光の量は、角部に臨む部分に照射される光の量よりも多くなる。すなわち、表示パネルにおける被照射領域の周縁部においてレンズから近い部分は、レンズから遠い部分よりも照射光量が多くなってしまい、表示パネルへの照射光量が不均一になってしまう。
【００１０】
本発明の目的は、このような課題を解決することであり、被照射体に対して強度が均一化された光を照射するために、被照射体の被照射領域周縁部における発光部から近い部分への照射光量を抑えることができる発光装置および表示装置を提供することである。
【課題を解決するための手段】
【００１１】
本発明は、被照射体に光を照射するための発光装置であって、
光を出射する発光部と、
前記発光部の周囲に設けられる反射部材であって、前記発光部の光軸に垂直な方向に延びる基部、および、この基部から傾斜して延びる傾斜部であって、第１壁部と、この第１壁部よりも、前記基部からの高さが低く、前記発光部からの距離が近い第２壁部とを含む傾斜部を有する反射部材とを備え、
前記発光部は、前記基部から離れる方向に光を出射する発光素子と、前記発光素子が載置される基台と、レンズとを含み、
前記発光素子は、光の出射方向において、前記基部よりも前方に設けられ、
前記レンズは、
柱状に形成されて、前記基部よりも前記出射方向前方において、前記発光素子の前記出射方向前方端部を全て覆うように設けられ、
前記レンズの前記上面が、前記発光素子に対向し、かつ、被照射体に平行な中央部分と、該中央部分を取り囲む第１湾曲部分と、該第１湾曲部分を取り囲む第２湾曲部分とを含み、
前記レンズの表面において、前記上面の前記中央部分および前記第２湾曲部分ならびに側面は、前記発光素子から出射され、前記レンズの内部を通って到達した光を透過する透過領域となり、
前記レンズの表面において、前記上面の前記第１湾曲部分は、前記発光素子から出射され、前記レンズの内部を通って到達した光を、前記レンズの側面に向けて反射する反射領域となり、
前記傾斜部は、前記出射方向において、前記基部の位置から、前記発光素子よりも前記出射方向前方の位置までにわたって、設けられることを特徴とする発光装置である。
【００１２】
また本発明は、被照射体に光を照射するための発光装置であって、
光を出射する発光部と、
前記発光部の周囲に設けられる反射部材であって、前記発光部の光軸に垂直な方向に延びる基部、および、この基部から傾斜して延びる傾斜部であって、第１壁部と、この第１壁部よりも、前記基部に対する傾斜角度が小さく、前記発光部からの距離が近い第２壁部とを含む傾斜部を有する反射部材とを備え、
前記発光部は、前記基部から離れる方向に光を出射する発光素子と、前記発光素子が載置される基台と、レンズとを含み、
前記発光素子は、光の出射方向において、前記基部よりも前方に設けられ、
前記レンズは、
柱状に形成されて、前記基部よりも前記出射方向前方において、前記発光素子の前記出射方向前方端部を全て覆うように設けられ、
前記レンズの前記上面が、前記発光素子に対向し、かつ、被照射体に平行な中央部分と、該中央部分を取り囲む第１湾曲部分と、該第１湾曲部分を取り囲む第２湾曲部分とを含み、
前記レンズの表面において、前記上面の前記中央部分および前記第２湾曲部分ならびに側面は、前記発光素子から出射され、前記レンズの内部を通って到達した光を透過する透過領域となり、
前記レンズの表面において、前記上面の前記第１湾曲部分は、前記発光素子から出射され、前記レンズの内部を通って到達した光を、前記レンズの側面に向けて反射する反射領域となり、
前記傾斜部は、前記出射方向において、前記基部の位置から前記発光素子よりも前記出射方向前方の位置までにわたって、設けられることを特徴とする発光装置である。
【００１３】
また本発明は、表示パネルと、
前記表示パネルに背面側から光を照射するための、前記発光装置を備える照明装置とを含むことを特徴とする表示装置である。
【発明の効果】
【００１４】
本発明によれば、第２壁部は、第１壁部よりも基部からの高さが低いので、被照射体の被照射領域周縁部において第２壁部に臨む部分に照射される光量は少なくなる。この第２壁部が、第１壁部よりも発光部に近い位置に設けられるので、被照射体の被照射領域周縁部における発光部から近い部分への照射光量を抑えることができる。
【００１５】
また本発明によれば、第２壁部は、第１壁部よりも基部に対する傾斜角度が小さいので、被照射体の被照射領域周縁部において第２壁部に臨む部分に照射される光量は少なくなる。この第２壁部が、第１壁部よりも発光部に近い位置に設けられるので、被照射体の被照射領域周縁部における発光部から近い部分への照射光量を抑えることができる。
【００１６】
また本発明によれば、前記発光装置を備える照明装置によって、表示パネルに光を照射することができるので、より高画質の画像を表示することができる。
【図面の簡単な説明】
【００１７】
【図１】液晶表示装置１００の構成を示す分解斜視図である。
【図２−１】図１における切断面線Ａ−Ａで切断したときの液晶表示装置１００の断面の一部を模式的に示す図である。
【図２−２】図１における切断面線Ｂ−Ｂで切断したときの液晶表示装置１００の断面の一部を模式的に示す図である。
【図３】発光装置１１の外観を模式的に示す図である。
【図４】基台１１１ｂに支持されたＬＥＤチップ１１１ａとレンズ１１２とを示す図である。
【図５】ＬＥＤチップ１１１ａから出射された光の光路を説明するための図である。
【図６】反射部材１１３をＸ方向に平面視したときの図である。
【図７】図２−１に対応する、本発明の効果を示す図である。
【図８】第２壁部１１５１２の代わりに第２壁部１１５１４を設けた場合を示す図である。
【図９】反射部材１３０および発光部１１１を含む発光装置１１の外観を模式的に示す図である。
【図１０】反射部材１３０および発光部１１１を含む発光装置１１の断面図である。
【図１１】反射部材１３０をＸ方向に平面視したときの図である。
【図１２】図１０（ａ）に対応する、本発明の効果を示す図である。
【図１３】第１実施形態の変形例を示す図である。
【発明を実施するための形態】
【００１８】
図１は、本発明の第１実施形態に係る液晶表示装置１００の構成を示す分解斜視図である。図２−１は、図１における切断面線Ａ−Ａで切断したときの液晶表示装置１００の断面の一部を模式的に示す図である。図２−２は、図１における切断面線Ｂ−Ｂで切断したときの液晶表示装置１００の断面の一部を模式的に示す図である。本発明に係る表示装置である液晶表示装置１００は、テレビジョンまたはパーソナルコンピュータなどにおいて、画像情報を出力することによって画像を表示画面に表示する装置である。表示画面は、液晶素子を有する透過型の表示パネルである液晶パネル２によって形成され、液晶パネル２は、矩形平板状に形成される。液晶パネル２において、厚み方向の２つの面を、前面２１および背面２２とする。液晶表示装置１００は、画像を、前面２１から背面２２に向かう方向に見て視認可能に表示する。
【００１９】
液晶表示装置１００は、液晶パネル２と、バックライトユニット１とを備える。液晶パネル２は、バックライトユニット１が備えるフレーム部材１３の底部１３ａの底面１３ａａと平行に、側壁部１３ｂにより支持される。液晶パネル２は、２枚の基板を含み、厚み方向から見て長方形の板状に形成される。液晶パネル２は、ＴＦＴ（thin film transistor）等のスイッチング素子を含み、２枚の基板の隙間には液晶が注入されている。液晶パネル２は、背面２２側に配置されるバックライトユニット１からの光がバックライトとして照射されることによって、表示機能を発揮する。前記２枚の基板には、液晶パネル２における画素の駆動制御用のドライバ（ソースドライバ）、種々の素子および配線が設けられている。
【００２０】
また、液晶表示装置１００において、液晶パネル２とバックライトユニット１との間には、拡散板３が、その両面が液晶パネル２の拡散板３に臨む面に平行になるように、配置される。なお、液晶パネル２と拡散板３との間に、プリズムシートを配置してもよい。
【００２１】
拡散板３は、バックライトユニット１から照射される光を、面方向に拡散することによって、輝度が局所的に偏ることを防止する。プリズムシートは、拡散板３を介して背面２２側から到達した光の進行の向きを、前面２１側に向ける。拡散板３では、輝度が面方向に偏ることを防ぐために、光の進行方向は、ベクトル成分として、面方向の成分を多く含む。これに対しプリズムシートは、面方向のベクトル成分を多く含む光の進行方向を、厚み方向の成分を多く含む光の進行方向に変換する。具体的には、プリズムシートは、レンズまたはプリズム状に形成される部分が面方向に多数並んで形成され、これによって、厚み方向に進行する光の拡散度を小さくする。したがって、液晶表示装置１００による表示において、輝度を上昇させることができる。
【００２２】
バックライトユニット１は、液晶パネル２に背面２２側から光を照射する直下型のバックライト装置である。バックライトユニット１は、液晶パネル２に光を照射する複数の発光装置１１と、複数のプリント基板１２と、フレーム部材１３とを含む。
【００２３】
フレーム部材１３は、バックライトユニット１の基本構造体であり、液晶パネル２と予め定められた間隔をあけて対向する平板状の底部１３ａと、底部１３ａに連なり底部１３ａから立ち上がる側壁部１３ｂとからなる。底部１３ａは、厚み方向から見て長方形に形成され、その大きさは液晶パネル２よりも少し大き目である。側壁部１３ｂは、底部１３ａのうち短辺を成す２つの端部と、長辺を成す２つの端部とから液晶パネル２の前面２１側に立ち上がって形成される。これによって、平板状の側壁部１３ｂが底部１３ａの周囲に４つ、形成される。
【００２４】
プリント基板１２は、フレーム部材１３の底部１３ａの底面１３ａａに固定される。このプリント基板１２の実装面１２ａには、後述する複数の発光部１１１が設けられる。プリント基板１２は、長手形状の部材であり、長手方向に直交する、幅方向の長さがたとえば１０ｍｍ、厚み方向の長さがたとえば０．８ｍｍに設定される。複数のプリント基板１２は、幅方向に並列して、たとえば３０ｍｍ離間して設けられる。プリント基板１２は、たとえば、導電層が両面に形成されたガラスエポキシからなる基板である。
【００２５】
プリント基板１２は、その長手方向において、フレーム部材１３の側壁部１３ｂまで延びて設けられる。この側壁部１３ｂには、プリント基板１２に電力を供給するためのコネクタが設けられており、プリント基板１２はこのコネクタに接続され、プリント基板１２上の導電層を介して各発光装置１１に電力が供給される。
【００２６】
複数の発光装置１１は、液晶パネル２に光を照射するための装置である。本実施形態では、複数の発光装置１１を１つの群として、拡散板３を介して液晶パネル２の背面２２の全体に対向するように複数の発光装置１１が設けられたプリント基板１２が複数並列して設けられることで、発光装置１１がマトリクス状に設けられる。各発光装置１１は、プリント基板１２の実装面１２ａに垂直な方向、かつ、プリント基板１２からフレーム部材１３の底部１３ａの底面１３ａａに向かう方向（以下では、「Ｘ方向」と称する）に平面視したときに、外形状が正方形状となるように設けられ、かつ、各発光装置１１によって画される被照射体上の被照射領域における光量が６０００ｃｄ／ｍ２となるように設けられる。この正方形状の一辺の長さは、たとえば４０ｍｍである。
【００２７】
複数の発光装置１１は、それぞれ、発光部１１１と、発光部１１１の周囲に設けられ、発光部１１１から出射された光を反射する反射部材１１３とを備える。図３に、発光装置１１の外観を模式的に示す。図３における切断面線Ｃ−Ｃで切断したときの発光装置１１の断面は、図２−１に対応し、図３における切断面線Ｄ−Ｄで切断したときの発光装置１１の断面は、図２−２に対応する。
【００２８】
発光部１１１は、発光素子である発光ダイオード（ＬＥＤ）チップ１１１ａと、ＬＥＤチップ１１１ａを支持する基台１１１ｂと、レンズ１１２とを含む。
【００２９】
図４は、基台１１１ｂに支持されたＬＥＤチップ１１１ａとレンズ１１２とを示す図である。基台１１１ｂは、ＬＥＤチップ１１１ａを支持するための部材であり、樹脂からなる。この基台１１１ｂは、ＬＥＤチップ１１１ａを支持する支持面が、Ｘ方向に平面視したときに正方形状に形成され、この正方形状の一辺の長さＬ１は、たとえば３ｍｍである。また、基台１１１ｂのＸ方向における高さは、たとえば１ｍｍである。
【００３０】
ＬＥＤチップ１１１ａは、基台１１１ｂを介してプリント基板１２に実装され、プリント基板１２から離れる方向に光を出射する。ＬＥＤチップ１１１ａの光軸Ｓ方向は、Ｘ方向に平行である。ＬＥＤチップ１１１ａは、発光装置１１をＸ方向に平面視したときに、基台１１１ｂの中央部に位置する。複数の発光装置１１において、それぞれのＬＥＤチップ１１１ａによる光の出射の制御は、互いに独立して制御可能である。これによって、バックライトユニット１は、部分的な調光制御（ローカルディミング）が可能である。
【００３１】
レンズ１１２は、ＬＥＤチップ１１１ａおよびＬＥＤチップ１１１ａを支持する基台１１１ｂを覆うように、基台１１１ｂに当接して設けられ、ＬＥＤチップ１１１ａから出射した光を、ＬＥＤチップ１１１ａの光軸Ｓに交差する複数の方向に反射または屈折させる。レンズ１１２は、透明なレンズであり、たとえばアクリル樹脂などからなる。
【００３２】
レンズ１１２において、液晶パネル２に対向する面である上面１１２ａは、中央部に凹みを有して湾曲して形成される。また、側面１１２ｂは、ＬＥＤチップ１１１ａの光軸Ｓの方向を軸線方向とする円柱の側面状に形成される。
【００３３】
レンズ１１２は、光軸Ｓ回りに回転対称に形成される。レンズ１１２において、光軸Ｓに直交する断面の直径Ｌ２は、たとえば１０ｍｍである。レンズ１１２は、基台１１１ｂに対して外方に延出して設けられている。すなわち、レンズ１１２は、ＬＥＤチップ１１１ａの光軸Ｓに直交する方向に関して基台１１１ｂよりも大きい（レンズ１１２の直径Ｌ２は、基台１１１ｂの支持面の一辺の長さＬ１よりも大きい）。このように、レンズ１１２が基台１１１ｂに対して外方に延出して設けられることによって、ＬＥＤチップ１１１ａから出射した光をレンズ１１２により広範囲に拡散させることができる。また、レンズ１１２の高さＨ１は、たとえば４．５ｍｍであり、直径Ｌ２よりも小さい。すなわち、レンズ１１２は、ＬＥＤチップ１１１ａの光軸Ｓに直交する方向の最大長さが、高さＨ１よりも大きい。
【００３４】
レンズ１１２の上面１１２ａは、ＬＥＤチップ１１１ａに対向し、かつ、拡散板３の両面に平行な中央部分１１２１と、中央部分１１２１を取り囲む第１湾曲部分１１２２と、第１湾曲部分を取り囲む第２湾曲部分１１２３とを含む。レンズ１１２の表面において、上面１１２ａの中央部分１１２１および第２湾曲部分１１２３ならびに側面１１２ｂは、ＬＥＤチップ１１１ａから出射され、レンズ１１２の内部を通って到達した光を透過する透過領域となる。また、上面１１２ａの第１湾曲部分１１２２は、ＬＥＤチップ１１１ａから出射され、レンズ１１２の内部を通って到達した光を側面１１２ｂに向けて反射する反射領域となる。なお、本実施形態では、レンズ１１２は、その底面が、反射部材１１３の基部１１４に当接しており、底面から光が出射しないように構成されている。
【００３５】
上面１１２ａの中央部分１１２１は、液晶パネル２に対向する上面１１２ａの中央に形成され、中央部分１１２１の中心（すなわち、レンズ１１２の光軸）は、ＬＥＤチップ１１１ａの光軸Ｓ上に位置する。上面１１２ａの中央部分１１２１は、ＬＥＤチップ１１１ａの発光面に平行であり、円形状に形成され、その円形状の直径Ｌ３は、たとえば１ｍｍである。
【００３６】
上面１１２ａの第１湾曲部分１１２２は、中央部分１１２１の外周縁端部に連なり、外方に向かうにつれてＬＥＤチップ１１１ａの光軸Ｓ方向の一方（液晶パネル２に向かう方向）に延び、内方および光軸Ｓ方向の一方に凸となるように湾曲した環状の曲面である。上面１１２ａの第１湾曲部分１１２２は、反射領域とするために、曲面の形状が、ＬＥＤチップ１１１ａから出射された光が全反射するように設計される。
【００３７】
上面１１２ａの第２湾曲部分１１２３は、第１湾曲部分１１２２の外周縁端部に連なり、外方に向かうにつれてＬＥＤチップ１１１ａの光軸Ｓ方向の他方（液晶パネル２から離反する方向）に延び、外方および光軸Ｓ方向の一方に凸となるように湾曲した環状の曲面である。
【００３８】
本実施形態では、ＬＥＤチップ１１１ａとレンズ１１２とは、レンズ１１２の中心（すなわち、レンズ１１２の光軸）がＬＥＤチップ１１１ａの光軸Ｓ上に位置し、レンズ１１２がＬＥＤチップ１１１ａに当接するように、予め高精度に位置合わせされて形成されている。このように、ＬＥＤチップ１１１ａとレンズ１１２とを、予め位置合わせして形成する方法としては、インサート成形、所定の形状に成形されたレンズ１１２に、基台１１１ｂに支持されたＬＥＤチップ１１１ａを嵌合させる方法などを挙げることができる。本実施形態では、ＬＥＤチップ１１１ａとレンズ１１２とは、インサート成形により、予め位置合わせされて形成されている。
【００３９】
インサート成形する際には、大きく分けて、上面金型と下面金型とを使用する。上面金型と下面金型とを合わせた際に形成される空間に、ＬＥＤチップ１１１ａを保持した状態で、レンズ１１２の原料となる樹脂を樹脂流入口から注入することにより成形する。なお、上面金型と下面金型とを合わせた際に形成される空間に、基台１１１ｂに支持されたＬＥＤチップ１１１ａを保持した状態で、レンズ１１２の原料となる樹脂を樹脂注入口から注入することにより成形するようにしてもよい。このように、ＬＥＤチップ１１１ａとレンズ１１２とをインサート成形により形成することによって、レンズ１１２がＬＥＤチップ１１１ａに当接するように、高精度に位置合わせすることができる。これによって、バックライトユニット１は、ＬＥＤチップ１１１ａから出射した光を、レンズ１１２により、精度よく反射および屈折させることができるので、拡散板３からプリント基板１２までの距離が小さい薄型化された液晶表示装置１００においても、面方向において強度が均一化された光を液晶パネル２に照射することができる。
【００４０】
図５は、ＬＥＤチップ１１１ａから出射された光の光路を説明するための図である。ＬＥＤチップ１１１ａから出射された光は、レンズ１１２に入射し、このレンズ１１２で拡散される。具体的には、レンズ１１２に入射した光のうち、被照射体である拡散板３に対向する上面１１２ａにおいて中央部分１１２１に到達した光は、拡散板３に向けて矢符Ａ１方向などに出射される。中央部分１１２１を透過した光は、拡散板３に直接照射されることになる。
【００４１】
また、図５に示すように、第１湾曲部分１１２２に到達した光は、第１湾曲部分１１２２で全反射して側面１１２ｂに向かい、側面１１２ｂから矢符Ａ２方向などに出射される。矢符Ａ２方向などに出射された光は、レンズ１１２の周囲に設けられる反射部材１１３に到達し、反射部材１１３によって反射されて、被照射体である拡散板３に照射される。第２湾曲部分１１２３に到達した光は、屈折して拡散板３に向けて矢符Ａ３方向などに出射される。
【００４２】
次に、図２−１、図２−２、図３、および図６を用いて反射部材１１３について説明する。図６は、反射部材１１３をＸ方向に平面視したときの図である。反射部材１１３は、Ｘ方向に平面視したときの外形状が正方形状である。この正方形状の各辺は、マトリクス状に配置される複数のＬＥＤチップ１１１ａの行方向または列方向と平行となる。本実施形態では、反射部材１１３は、この正方形状の対角線について線対称に構成される。また、正方形状の中央点について９０°回転対称に構成される。なお、本発明の他の実施形態としては、反射部材１１３は、Ｘ方向に平面視したときの外形状が長方形状であってもよい。
【００４３】
反射部材１１３は、プリント基板１２の実装面１２ａ上に設けられる基部１１４と、基部１１４の外周縁部を取り囲み、この外周縁部に接続される傾斜部１１５とを有する。基部１１４は、中央に開口部１１４１が設けられた、２０角形平板状部材であり、Ｘ方向に垂直な平面であって、拡散板３に臨む平面である第１反射面１１４ａを有する。傾斜部１１５は、発光部１１１を取り囲む枠状部材であり、第２反射面１１５ａ、第３反射面１１５ｂ、および第４反射面１１５ｃを有する。第２反射面１１５ａ、第３反射面１１５ｂ、および第４反射面１１５ｃは、それぞれ、発光部１１１に臨み、Ｘ方向に垂直な方向において発光部１１１から遠ざかるにつれてＸ方向とは逆方向にプリント基板１２から遠ざかるように傾斜する平面である。
【００４４】
基部１１４は、第１反射面１１４ａを主面とし、Ｘ方向に平面視したときにおける中央部に正方形状の開口部１１４１が設けられる。この正方形状の開口部１１４１の１辺の長さは、ＬＥＤチップ１１１ａを支持する基台１１１ｂの１辺の長さＬ１と同程度であり、この開口部１１４１を介して基台１１１ｂを通過させる。基部１１４の第１反射面１１４ａの外形状は、正方形の各辺の中央部に等脚台形を接続して形成される２０角形状である。本実施形態では、この正方形の１辺の長さは３８．２ｍｍであり、この正方形の各辺の中央部に、等脚台形の平行な２辺のうちの長辺がすべて重なる。この等脚台形の平行な２辺のうちの長辺の長さはたとえば２２．２ｍｍであり、短辺の長さはたとえば１６ｍｍであり、長辺と短辺との間の距離はたとえば０．３７ｍｍである。また、本実施形態では、上記の正方形の各辺は、Ｘ方向に平面視したときの反射部材１１３の外形状である正方形状の各辺に対して、垂直または平行となる。
【００４５】
傾斜部１１５は、４つの同一形状の壁部材１１５１の両端部を互いに接続することで構成される枠状部材である。各壁部材１１５１は、壁部材１１５１において両端部に配置される第１壁部１１５１１と、壁部材１１５１において中央部に配置される第２壁部１１５１２と、第１壁部１１５１１と第２壁部１１５１２とを接続する接続部１１５１３から構成される。
【００４６】
第１壁部１１５１１は、第２反射面１１５ａを主面とする平板状部材であり、Ｘ方向に平面視したときの反射部材１１３の外形状である正方形状の角部に対応する。第２反射面１１５ａは互いに平行な２辺と、この２辺に垂直な１辺と、この１辺に対向する斜辺１１５ａａとを有する台形状である。第１壁部１１５１１の斜辺１１５ａａは、この第１壁部１１５１１を有する壁部材１１５１とは異なる他の壁部材１１５１の第１壁部１１５１１における斜辺１１５ａａにすべて重なる。
【００４７】
台形状の第２反射面１１５ａの、平行な２辺のうちの短辺１１５ａｂは、２０角形状の第１反射面１１４ａの１辺とすべて重なる。この短辺１１５ａｂの長さは、たとえば８ｍｍである。また、台形状の第２反射面１１５ａの、平行な２辺のうちの長辺１１５ａｃの長さは、たとえば８．９ｍｍである。この長辺１１５ａｃ上の点のうち、ＬＥＤチップ１１１ａの光軸Ｓから最も遠い点までの光軸Ｓからの距離Ｌ４は、たとえば２７ｍｍである。
【００４８】
図２−２に示す、第１反射面１１４ａを基準とする第２反射面１１５ａの高さＨ２、より詳細には、第１反射面１１４ａと第２反射面１１５ａの上端との間のＸ方向における距離Ｈ２は、たとえば５ｍｍである。また、図２−２に示す、第１反射面１１４ａに対する第２反射面１１５ａの傾斜角度θ１は、たとえば１００°である。
【００４９】
第２壁部１１５１２は、第３反射面１１５ｂを主面とする平板状部材であり、Ｘ方向に平面視したときの反射部材１１３の外形状である正方形状の角部を除く辺部に対応する。第３反射面１１５ｂは矩形状であり、その１辺１１５ｂａが、２０角形状の第１反射面１１４ａの１辺とすべて重なる。第３反射面１１５ｂの、第１反射面１１４ａの１辺と重なる１辺１１５ｂａの長さは、たとえば１６ｍｍである。矩形状の第３反射面１１５ｂの、この１辺１１５ｂａに対向する辺上の点のうち、ＬＥＤチップ１１１ａの光軸Ｓに最も近い点までの光軸Ｓからの距離Ｌ５は、たとえば１９．１ｍｍであり、距離Ｌ４よりも小さい。
【００５０】
図２−１に示す、第１反射面１１４ａを基準とする第３反射面１１５ｂの高さＨ３は、たとえば３ｍｍであり、高さＨ２よりも小さい。また、図２−１に示す、第１反射面１１４ａに対する第３反射面１１５ｂの傾斜角度θ２は、たとえば１００°であり、傾斜角度θ１と同一である。
【００５１】
接続部１１５１３は、第４反射面１１５ｃを主面とする平板状部材である。第４反射面１１５ｃは４角形状であり、４辺のうちの３辺が、２０角形状の第１反射面１１４ａの１辺、台形状の第２反射面１１５ａの１辺、および矩形状の第３反射面１１５ｂの１辺に、それぞれ重なる。第１反射面１１４ａを基準とする第４反射面１１５ｃの高さは、第２反射面１１５ａ側から第３反射面１１５ｂ側へ向かうにつれて連続的に小さくなる。本実施形態では、第１反射面１１４ａを基準とする第４反射面１１５ｃの高さは、第２反射面１１５ａ側から第３反射面１１５ｂ側へ向かうにつれて、５ｍｍから３ｍｍへ、連続的に小さくなる。
【００５２】
基部１１４および傾斜部１１５は、高輝性ＰＥＴ（PolyEthylene Terephthalate）、アルミニウムなどからなる。高輝性ＰＥＴとは、蛍光剤を含有した発泡性ＰＥＴであり、たとえば、東レ株式会社製のＥ６０Ｖ（商品名）などを挙げることができる。基部１１４および傾斜部１１５の厚みは、たとえば０．１〜０．５ｍｍである。
【００５３】
本実施形態では、基部１１４の第１反射面１１４ａ、ならびに、傾斜部１１５の第２反射面１１５ａ、第３反射面１１５ｂ、および第４反射面１１５ｃの全反射率は、９４％である。これらの面の全反射率は、９０％以上であり、好ましくは１００％である。全反射率は、ＪＩＳ  Ｈ  ０２０１：１９９８で規定されているように、鏡面反射率と拡散反射率との和であり、ＪＩＳ  Ｋ  ７３７５に準拠して測定することができる。
【００５４】
反射部材１１３を構成する基部１１４および傾斜部１１５は一体的に成形されることが好ましく、さらに、複数の発光装置１１にそれぞれ備えられる各反射部材１１３は、互いに一体的に成形されることが好ましい。複数の反射部材１１３を一体成形する方法としては、反射部材１１３が発泡性ＰＥＴにより構成されている場合には押出し成型加工を挙げることができ、反射部材１１３がアルミニウムにより構成されている場合にはプレス加工を挙げることができる。このように、複数の発光装置１１にそれぞれ備えられる反射部材１１３を一体成形することによって、複数の発光装置１１のプリント基板１２に対する配置位置の精度を向上することができるとともに、バックライトユニット１の組立作業時に、反射部材１１３を取り付ける作業数を低減することができるので、組立作業の効率を向上することができる。
【００５５】
以上のように構成されるバックライトユニット１では、上述したように、距離Ｌ５が距離Ｌ４よりも小さい。すなわち、第２壁部１１５１２は、第１壁部１１５１１よりも発光部１１１に近い位置に設けられる。そして、第３反射面１１５ｂの高さＨ３は、第２反射面１１５ａの高さＨ２よりも小さい。すなわち、第２壁部１１５１２は、第１壁部１１５１１よりも低く設けられる。第２壁部１１５１２が低く形成されることにより発揮される本発明の効果を、図７および図８を用いて説明する。
【００５６】
図７は、本発明を示し、図２−１に対応する。図８は、第２壁部１１５１２の代わりに、第２壁部１１５１２の高さを第１壁部１１５１１の高さと同一に変更して構成される第２壁部１１５１４を設けた場合を示す。図７および図８に示すように、発光部１１１から出射された光の一部は、反射部材１１３の基部１１４へ向かい、基部１１４の第１反射面１１４ａで拡散反射する。このとき、拡散反射による反射光は、たとえば反射光Ｂ１〜Ｂ４のように複数の方向へ進む。
【００５７】
図８に示す例では、反射光Ｂ１，Ｂ２は、第２壁部１１５１４で反射されて、被照射体である拡散板３において反射部材１１３によって画される領域である被照射領域Ｚ１の周縁部Ｚ２に入射する。反射光Ｂ３は、第２壁部１１５１４の上方を通り過ぎて被照射領域Ｚ１の外側に向かい、代わりに、隣接する他の発光装置１１から、反射光Ｂ５が被照射領域Ｚ１の周縁部Ｚ２に入射する。反射光Ｂ４は、そのまま進み、被照射領域Ｚ１の周縁部Ｚ２に入射する。
【００５８】
図７に示す例では、反射光Ｂ１は、図８に示す例と同様に、被照射領域Ｚ１の周縁部Ｚ２に入射する。反射光Ｂ２は、図８に示す例とは異なり、第２壁部１１５１２の高さが低いことに起因して、第２壁部１１５１２の上方を通り過ぎて被照射領域Ｚ１の外側に向かい、代わりに、隣接する他の発光装置１１から、反射光Ｂ６が被照射領域Ｚ１の中央部Ｚ３に入射する。反射光Ｂ３は、第２壁部１１５１２の上方を通り過ぎて被照射領域Ｚ１の外側に向かい、代わりに、隣接する他の発光装置１１から、反射光Ｂ７が被照射領域Ｚ１の周縁部Ｚ２に入射する。反射光Ｂ４は、そのまま進み、被照射領域Ｚ１の周縁部Ｚ２に入射する。
【００５９】
したがって、第２壁部１１５１４の高さが第１壁部１１５１１と同一の高さである図８の例と比較して、第２壁部１１５１２の高さが第１壁部１１５１１よりも低い図７の例では、被照射領域Ｚ１の周縁部Ｚ２における第２壁部１１５１２に臨む部分（第２壁部１１５１２に近い部分）に入射する光量が減少する。すなわち、被照射領域Ｚ１の周縁部Ｚ２における第２壁部１１５１２に臨む部分（発光部１１１に近い部分）の照射光量を抑えることができ、被照射領域Ｚ１の周縁部Ｚ２における第１壁部１１５１１に臨む部分（発光部１１１から遠い部分）の照射光量との間で均一化を図ることができる。
【００６０】
なお、この第１実施形態では、反射部材１１３をＸ方向に平面視したときの外形状を、１辺４０ｍｍの正方形状としているが、この正方形状の１辺の長さは、２５ｍｍ〜６０ｍｍの範囲内で適宜設定できる。また、第１壁部１１５１１の傾斜角度θ１と第２壁部１１５１２の傾斜角度θ２は、同一の１００°であるが、同一の角度でさえあれば、９０°よりも大きく１２０°以下の範囲内で適宜設定できる。また、第１壁部１１５１１の高さＨ２は５ｍｍであり、第２壁部１１５１２の高さＨ３は３ｍｍであるので、高さの差は２ｍｍであるが、この高さの差は、１ｍｍ〜４ｍｍの範囲内で適宜設定できる。さらに、この高さの差が生じるように、第１壁部１１５１１の高さＨ２および第２壁部１１５１２の高さＨ３は、１ｍｍ〜５ｍｍの範囲内でそれぞれ適宜設定できる。また、本実施形態では、距離Ｌ４は２７ｍｍであり、距離Ｌ５は１９．１ｍｍであるので、距離Ｌ５は距離Ｌ４よりも小さいが、距離Ｌ５が距離Ｌ４以下でさえあれば、距離Ｌ４および距離Ｌ５は、１２．５ｍｍ〜３０ｍｍの範囲内でそれぞれ適宜設定できる。
【００６１】
図１３に、第１実施形態の変形例を示す。この変形例では、第１壁部１１５１１および第２壁部１１５１２の高さが、その部分ごとに、光軸Ｓからの距離に比例して連続的に変化し、第１壁部１１５１１の高さの最小値が、第２壁部１１５１２の高さの最大値に一致する。したがって、この変形例では、接続部１１５１３は設けられず、第１壁部１１５１１と第２壁部１１５１２とが直接接続される。ただし、反射部材１１３をＸ方向に平面視したときの外形状は、正方形状のままである。なお、この変形例において、第１壁部１１５１１および第２壁部１１５１２の各部分の光軸Ｓからの距離とは、各部分における基部１１４の第１反射面１１４ａとの接点と光軸Ｓとの間の距離であり、各部分の高さとは、この接点から傾斜角度θ１，θ２で延ばした直線と第１，２壁部１１５１１，１１５１２の上端面との接点と、基部１１４の第１反射面１１４ａとの間のＸ方向における距離である。
【００６２】
この変形例では、たとえば、第１壁部１１５１１の高さの最小値を４ｍｍとし、最大値を５ｍｍとして、光軸Ｓに近づくにつれて高さが連続的に低くなるように第１壁部１１５１１を設け、第２壁部１１５１２の高さの最小値を３ｍｍとし、最大値を４ｍｍとして、光軸Ｓに近づくにつれて高さが連続的に低くなるように第２壁部１１５１２を設けることができる。このように、第１壁部１１５１１および第２壁部１１５１２の各部分の高さを連続的に変化させることで、照射光量の均一性を向上させることができる。
【００６３】
次に、本発明の第２実施形態について説明する。第２実施形態は、反射部材１１３の代わりに反射部材１３０を設けたこと以外は、第１実施形態と同様であるので、反射部材１３０以外の説明は省略する。図９は、反射部材１３０および発光部１１１を含む発光装置１１の外観を模式的に示す図である。図１０は、反射部材１３０および発光部１１１を含む発光装置１１の断面図であり、図１０（ａ）は、図９における切断面線Ｉ−Ｉで切断したときの発光装置１１の断面を模式的に示し、図１０（ｂ）は、図９における切断面線Ｊ−Ｊで切断したときの発光装置１１の断面を模式的に示す。
【００６４】
図１１は、反射部材１３０をＸ方向に平面視したときの図である。反射部材１３０は、Ｘ方向に平面視したときの外形状が、１辺４０ｍｍの正方形状である。この正方形状の各辺は、マトリクス状に配置される複数のＬＥＤチップ１１１ａの行方向または列方向と平行となる。本実施形態では、反射部材１３０は、この正方形状の対角線について線対称に構成される。また、正方形状の中央点について９０°回転対称に構成される。なお、本発明の他の実施形態としては、反射部材１３０は、Ｘ方向に平面視したときの外形状が長方形状であってもよい。
【００６５】
反射部材１３０は、プリント基板１２の実装面１２ａ上に設けられる基部１３１と、基部１３１の外周縁部を取り囲み、この外周縁部に接続される傾斜部１３２とを有する。基部１３１は、中央に開口部１３１１が設けられた、２０角形平板状部材であり、Ｘ方向に垂直な平面であって、拡散板３に臨む平面である第１反射面１３１ａを有する。傾斜部１３２は、発光部１１１を取り囲む枠状部材であり、第２反射面１３２ａ、第３反射面１３２ｂ、および第４反射面１３２ｃを有する。第２反射面１３２ａ、第３反射面１３２ｂ、および第４反射面１３２ｃは、それぞれ、発光部１１１に臨み、Ｘ方向に垂直な方向において発光部１１１から遠ざかるにつれてＸ方向とは逆方向にプリント基板１２から遠ざかるように傾斜する面である。
【００６６】
基部１３１は、第１反射面１３１ａを主面とし、Ｘ方向に平面視したときにおける中央部に正方形状の開口部１３１１が設けられる。この正方形状の開口部１３１１の１辺の長さは、ＬＥＤチップ１１１ａを支持する基台１１１ｂの１辺の長さＬ１と同程度であり、この開口部１３１１に基台１１１ｂが挿通される。
【００６７】
基部１３１の第１反射面１３１ａの外形状は、正方形の各辺の中央部に等脚台形を接続して形成される２０角形状である。本実施形態では、この正方形の１辺の長さは３８．２ｍｍであり、この正方形の各辺の中央部に、等脚台形の平行な２辺のうちの長辺がすべて重なる。この等脚台形の平行な２辺のうちの長辺の長さはたとえば２２．２ｍｍであり、短辺の長さはたとえば１６ｍｍであり、長辺と短辺との間の距離はたとえば０．４６ｍｍである。また、本実施形態では、上記の正方形の各辺は、Ｘ方向に平面視したときの反射部材１３０の外形状である正方形状の各辺に対して、垂直または平行となる。
【００６８】
傾斜部１３２は、４つの同一形状の壁部材１３２１の両端部を互いに接続することで構成される枠状部材である。各壁部材１３２１は、壁部材１３２１において両端部に配置される第１壁部１３２１１と、壁部材１３２１において中央部に配置される第２壁部１３２１２と、第１壁部１３２１１と第２壁部１３２１２とを接続する接続部１３２１３から構成される。
【００６９】
第１壁部１３２１１は、平面である第２反射面１３２ａを主面とする平板状部材であり、Ｘ方向に平面視したときの反射部材１３０の外形状である正方形状の角部に対応する。第２反射面１３２ａは互いに平行な２辺と、この２辺に垂直な１辺と、この１辺に対向する斜辺１３２ａａとを有する台形状である。第１壁部１３２１１の斜辺１３２ａａは、この第１壁部１３２１１を有する壁部材１３２１とは異なる他の壁部材１３２１の第１壁部１３２１１における斜辺１３２ａａにすべて重なる。
【００７０】
台形状の第２反射面１３２ａの、平行な２辺のうちの短辺１３２ａｂは、２０角形状の第１反射面１３１ａの１辺とすべて重なる。この短辺１３２ａｂの長さは、たとえば８ｍｍである。また、台形状の第２反射面１３２ａの、平行な２辺のうちの長辺１３２ａｃの長さは、たとえば８．９ｍｍである。この長辺１３２ａｃ上の点のうち、ＬＥＤチップ１１１ａの光軸Ｓから最も遠い点までの光軸Ｓからの距離Ｌ１１は、たとえば２７ｍｍである。
【００７１】
図１０（ｂ）に示す、第１反射面１３１ａを基準とする第２反射面１３２ａの高さＨ８は、たとえば５ｍｍである。また、図１０（ｂ）に示す、第１反射面１３１ａに対する第２反射面１３２ａの傾斜角度θ７は、たとえば１００°である。
【００７２】
第２壁部１３２１２は、平面である第３反射面１３２ｂを主面とする平板状部材であり、Ｘ方向に平面視したときの反射部材１３０の外形状である正方形状の辺部に対応する。第３反射面１３２ｂは矩形状であり、その１辺１３２ｂａが、２０角形状の第１反射面１３１ａの１辺とすべて重なる。第３反射面１３２ｂの、第１反射面１３１ａの１辺と重なる１辺１３２ｂａの長さは、たとえば１６ｍｍである。矩形状の第３反射面１１５ｂの、この１辺１３２ｂａに対向する辺上の点のうち、ＬＥＤチップ１１１ａの光軸Ｓに最も近い点までの光軸Ｓからの距離Ｌ１２は、たとえば１９．１ｍｍであり、距離Ｌ１１よりも小さい。
【００７３】
図１０（ａ）に示す、第１反射面１３１ａを基準とする第３反射面１３２ｂの高さＨ９は、たとえば５ｍｍであり、高さＨ８と同一である。また、図１０（ｂ）に示す、第１反射面１３１ａに対する第３反射面１３２ｂの傾斜角度θ８は、たとえば９５°であり、傾斜角度θ７よりも小さい。
【００７４】
接続部１３２１３は、第４反射面１３２ｃを主面とする板状部材である。第４反射面１３２ｃは、２０角形状の第１反射面１３１ａの１辺、台形状の第２反射面１３２ａの１辺、および矩形状の第３反射面１３２ｂの１辺に、それぞれ連なる。第１反射面１３１ａに対する第４反射面１３２ｃの傾斜角度は、第２反射面１３２ａ側から第３反射面１３２ｂ側へ向かうにつれて連続的に小さくなる。本実施形態では、第１反射面１３１ａに対する第４反射面１３２ｃの傾斜角度は、第２反射面１３２ａ側から第３反射面１３２ｂ側へ向かうにつれて、１００°から９５°へ、連続的に小さくなる。
【００７５】
基部１３１および傾斜部１３２は、高輝性ＰＥＴ、アルミニウムなどからなる。基部１３１および傾斜部１３２の厚みは、たとえば０．１〜０．５ｍｍである。
【００７６】
本実施形態では、基部１３１の第１反射面１３１ａ、ならびに、傾斜部１３２の第２反射面１３２ａ、第３反射面１３２ｂ、および第４反射面１３２ｃの全反射率は、９４％である。これらの面の全反射率は、９０％以上であり、好ましくは１００％である。
【００７７】
反射部材１３０を構成する基部１３１および傾斜部１３２は一体的に成形されることが好ましく、さらに、複数の発光装置１１にそれぞれ備えられる各反射部材１３０は、互いに一体的に成形されることが好ましい。複数の反射部材１３０を一体成形する方法としては、反射部材１３０が発泡性ＰＥＴにより構成されている場合には押出し成型加工を挙げることができ、反射部材１３０がアルミニウムにより構成されている場合にはプレス加工を挙げることができる。
【００７８】
以上のように構成される反射部材１３０では、上述したように、距離Ｌ１２が距離Ｌ１１よりも小さい。すなわち、第２壁部１３２１２は、第１壁部１３２１１よりも発光部１１１に近い位置に設けられる。そして、第２壁部１３２１２の傾斜角度θ８は、第１壁部１３２１１の傾斜角度θ７よりも小さい。第２壁部１３２１２の傾斜角度θ８が小さいことにより発揮される本発明の効果を、図８および図１２を用いて説明する。
【００７９】
図１２は、本発明を示し、図１０（ａ）に対応する。図８および図１２に示すように、発光部１１１から出射された光の一部は、反射部材１１３，１３０の基部１１４，１３１へ向かい、基部１１４，１３１の第１反射面１１４ａ，１３１ａで拡散反射する。このとき、拡散反射による反射光は、たとえば反射光Ｂ１〜Ｂ４のように複数の方向へ進む。
【００８０】
図８に示す例では、第１実施形態で説明したように、反射光Ｂ１，Ｂ２は、被照射領域Ｚ１の周縁部Ｚ２に入射する。反射光Ｂ３の代わりに、隣接する他の発光装置１１から、反射光Ｂ５が被照射領域Ｚ１の周縁部Ｚ２に入射する。反射光Ｂ４は、被照射領域Ｚ１の周縁部Ｚ２に入射する。
【００８１】
図１２に示す例では、図８に示す例とは異なり、第２壁部１３２１２の傾斜角度θ８が小さいことに起因して、第２壁部１３２１２の第３反射面１３２ｂに対する反射光Ｂ１，Ｂ２の入射角度および反射角度は小さくなり、その結果、反射光Ｂ１，Ｂ２は、被照射領域Ｚ１の中央部Ｚ３に入射する。反射光Ｂ３は、第２壁部１３２１２の上方を通り過ぎて被照射領域Ｚ１の外側に向かい、代わりに、隣接する他の発光装置１１から、反射光Ｂ８が被照射領域Ｚ１の周縁部Ｚ２に入射する。反射光Ｂ４は、そのまま進み、被照射領域Ｚ１の周縁部Ｚ２に入射する。
【００８２】
したがって、第２壁部１１５１４の傾斜角度が第１壁部１１５１１の傾斜角度と同一である図８の例と比較して、第２壁部１３２１２の傾斜角度θ８が第１壁部１３２１１の傾斜角度θ７よりも小さい図１２の例では、被照射領域Ｚ１の周縁部Ｚ２における第２壁部１３２１２に臨む部分（第２壁部１３２１２に近い部分）に入射する光量が減少する。すなわち、被照射領域Ｚ１の周縁部Ｚ２における第２壁部１３２１２に臨む部分（発光部１１１に近い部分）の照射光量を抑えることができ、被照射領域Ｚ１の周縁部Ｚ２における第１壁部１３２１１に臨む部分（発光部１１１から遠い部分）の照射光量との間で均一化を図ることができる。
【００８３】
なお、この第２実施形態では、反射部材１３０をＸ方向に平面視したときの外形状を、１辺４０ｍｍの正方形状としているが、この正方形状の１辺の長さは、２０ｍｍ〜６０ｍｍの範囲内で適宜設定できる。また、第１壁部１３２１１の高さＨ８と第２壁部１３２１２の高さＨ９は、同一の５ｍｍであるが、同一の高さでさえあれば、２ｍｍ〜８ｍｍの範囲内で適宜設定できる。また、第１壁部１３２１１の傾斜角度θ７は１００°であり、第２壁部１３２１２の傾斜角度θ８は９５°であるので、傾斜角度の差は５°であるが、この傾斜角度の差は、０°より大きく４５°以下の範囲内で適宜設定できる。さらに、この傾斜角度の差が生じるように、第１壁部１３２１１の傾斜角度θ７および第２壁部１３２１２の傾斜角度θ８は、９０°よりも大きく１２０°以下の範囲内でそれぞれ適宜設定できる。また、本実施形態では、距離Ｌ１１は２７ｍｍであり、距離Ｌ１２は１９．１ｍｍであるので、距離Ｌ１２は距離Ｌ１１よりも小さいが、距離Ｌ１２が距離Ｌ１１以下でさえあれば、距離Ｌ１１および距離Ｌ１２は、１５ｍｍ〜３０ｍｍの範囲内でそれぞれ適宜設定できる。
【００８４】
このような第２実施形態の変形例としては、第１壁部１３２１１および第２壁部１３２１２の傾斜角度が、その部分ごとに、光軸Ｓからの距離に比例して連続的に変化し、第１壁部１３２１１の傾斜角度の最小値が、第２壁部１３２１２の傾斜角度の最大値に一致するように構成してもよい。したがって、この変形例では、接続部１３２１３は設けられず、第１壁部１３２１１と第２壁部１３２１２とが直接接続される。ただし、反射部材１３０をＸ方向に平面視したときの外形状は、正方形状のままである。なお、この変形例において、第１壁部１３２１１および第２壁部１３２１２の各部分の光軸Ｓからの距離とは、各部分における基部１３１の第１反射面１３１ａとの接点と光軸Ｓとの間の距離である。
【００８５】
この変形例では、たとえば、第１壁部１３２１１の傾斜角度の最小値を９７．５°とし、最大値を１００°として、光軸Ｓに近づくにつれて傾斜角度が連続的に小さくなるように第１壁部１３２１１を設け、第２壁部１３２１２の傾斜角度の最小値を９５°とし、最大値を９７．５°として、光軸Ｓに近づくにつれて傾斜角度が連続的に小さくなるように第２壁部１３２１２を設けることができる。このように、第１壁部１３２１１および第２壁部１３２１２の各部分の傾斜角度を連続的に変化させることで、照射光量の均一性を向上させることができる。
【００８６】
以上の第１，第２実施形態のようなバックライトユニット１を備える液晶表示装置１００によれば、バックライトユニット１によって、被照射体である拡散板３に対して、その面方向において強度が均一化された光を照射することができるので、拡散板３に平行に設けられる液晶パネル２に対して、その面方向において強度が均一化された光を照射することができる。これにより、液晶表示装置１００は、高画質の画像を表示することができる。
【符号の説明】
【００８７】
１  バックライトユニット
２  液晶パネル
１２  プリント基板
１２ａ  実装面
１００  液晶表示装置
１１１ａ  ＬＥＤチップ
１１１ｂ  基台
１１２  レンズ
１１２ａ  上面
１１２ｂ  側面
１１３、１２０，１３０  反射部材
１１４，１２１，１３１  基部
１１５，１２２，１３２  傾斜部
１１５１１，１２２１１，１３２１１  第１壁部
１１５１２，１２２２１，１３２１２  第２壁部
【図１】
0005509154.tif 000002
【図２−１】
0005509154.tif 000003
【図２−２】
0005509154.tif 000004
【図３】
0005509154.tif 000005
【図４】
0005509154.tif 000006
【図５】
0005509154.tif 000007
【図６】
0005509154.tif 000008
【図７】
0005509154.tif 000009
【図８】
0005509154.tif 000010
【図９】
0005509154.tif 000011
【図１０】
0005509154.tif 000012
【図１１】
0005509154.tif 000013
【図１２】
0005509154.tif 000014
【図１３】
0005509154.tif 000015